(57)【要約】【構成】本発明のマガジン１００は、複数の商品（たばこ商品６０）が搭載される搭載部１０と、搭載部１０に沿って前後移動する押板２０と、を備える。搭載部１０は、搭載される商品（たばこ商品６０）の最前位置を規定するための商品停止部（前壁部１３）を有し、これより前方に巻部材３１がうず巻状に巻かれてなる巻体３０が設けられている。巻体３０から繰り出される巻部材３１の先端は押板２０に連結されており、押板２０の前後移動に連動して巻部材３１の繰り出し量が変化する。加えて巻部材３１が所定箇所（表示窓４０）においてマガジン１００の外部から視認されることによって商品（たばこ商品６０）の残数を報知可能である。【作用】残数表示に関連する部材である巻体３０を搭載部１０に搭載される商品（たばこ商品６０）の前方の空間を利用して設置することができ、これにより商品（たばこ商品６０）の残数を報知する可能とする。【選択図】図１
2015002854.tif 000002
【特許請求の範囲】
【請求項１】
複数の商品が前後方向に一列に搭載される搭載部と、前記搭載部に沿って前後移動するように設けられた押板と、を備えるマガジンであって、
前記搭載部は、搭載される前記商品の最前位置を規定するための商品停止部を有し、
前記商品停止部より前方に巻部材がうず巻状に巻かれてなる巻体が設けられており、
前記巻体から繰り出される前記巻部材の先端が前記押板に連結されていることによって、前記押板の前後移動に連動して前記巻体から繰り出される前記巻部材の繰り出し量が変化するとともに、前記巻部材が所定箇所において前記マガジンの外部から視認されることによって前記商品の残数を報知可能であることを特徴とするマガジン。
【請求項２】
前記巻体から繰り出される前記巻部材は、前記搭載部に搭載される前記商品の残数と対応して前記所定箇所から視認される際の視認態様が変化することによって、前記搭載部に搭載されている前記商品の残数が所定数Ｎ（Ｎは自然数）以下であることを表す残数情報を示す請求項１に記載のマガジン。
【請求項３】
前記押板を前方に付勢する付勢部材を、前記巻体とは別体として有する請求項１または２に記載のマガジン。
【請求項４】
前記搭載部は前記商品を載置するための底板部を有し、
前記巻部材は、前記底板部の下方を通って前記押板に連結されている請求項１から３のいずれか一項に記載のマガジン。
【請求項５】
前記押板の底部は、前記底板部と平行に配置され前記底板部の上面に対して摺動する摺動板と、前記摺動板との協働で前記底板部を挟持する挟持部と、を有するとともに、
前記底板部は、前記搭載部の前後方向に延在するスリットを有するとともに前記スリットの幅方向に隣接する縁部を有しており、
前記摺動板と前記挟持部とにより前記縁部を挟み込むことによって前記押板が前後方向に移動可能に設けられており、
前記巻部材が、前記挟持部に連結している請求項４に記載のマガジン。
【請求項６】
前記搭載部は、前記搭載部の前縁を仕切る前壁部を有し、
前記巻体は、前記前壁部より前方に設けられている請求項１から５のいずれか一項に記載のマガジン。
【請求項７】
前記巻体を収容する枠体を有し、
前記枠体が前記搭載部に装着されている請求項１から６のいずれか一項に記載のマガジン。
【請求項８】
前記枠体は、前記巻体の前方において起立する前面部を有し、
前記前面部には、表示窓が設けられており、
前記表示窓を介して、前記巻部材が前記マガジンの外部から視認可能である請求項７に記載のマガジン。
【請求項９】
前記枠体は、前記マガジンの幅方向において前記巻体を外部と区画する側面部を有し、
前記巻部材の基端が接合する前記巻体の中心軸の端部が、前記側面部の内側面に留められている請求項７または８に記載のマガジン。
【請求項１０】
前記枠体が、前記搭載部に着脱可能に係止されている請求項７から９のいずれか一項に記載のマガジン。
【請求項１１】
前記搭載部は、前記搭載部の前縁を仕切る前壁部を有し、
前記商品停止部は、前記前壁部よりも後方側に位置し、
前記巻体は、前後方向において前記前壁部と前記商品停止部との間に設けられている、請求項１から５のいずれか一項に記載のマガジン。
【請求項１２】
前記搭載部は前記商品を載置するための底板部を有し、
前記底板部は、前記搭載部の前後方向に延在するスリットを有するとともに前記スリットの幅方向に隣接する縁部を有するとともに、
前記押板の底部は、前記底板部に沿って配置され前記底板部の上面に対して摺動する摺動板と、前記摺動板との協働で前記縁部を挟持する挟持部と、を有しており、
前記縁部の上面または下面は凹凸面を有し、
下記（Ｉ）および／または（ＩＩ）である請求項１から１１のいずれか一項に記載のマガジン、
（Ｉ）前記縁部の上面には、前記凹凸面における凸部が、前記摺動板の前後寸法内および幅寸法内の複数箇所において設けられ、前記凸部と前記摺動板とが複数箇所で接触可能である、
（ＩＩ）前記縁部の下面には、前記凹凸面における凸部が、前記挟持部の前後寸法内および幅寸法内の複数箇所において設けられ、前記凸部と前記挟持部とが複数箇所で接触可能である。
【請求項１３】
前記押板が前後方向に移動するとき、前記摺動板または前記挟持部の前記縁部に対する対向面における任意の箇所と、前記凹凸面における複数の凸部と、が、接触と非接触を繰り返す請求項１２に記載のマガジン。
【請求項１４】
前記縁部における凹凸面が、前記押板の前後移動の領域に亘る請求項１２または１３に記載のマガジン。
【請求項１５】
前後方向における任意の箇所において、前記摺動板または前記挟持部と、これに対面する前記凸部と、の接触箇所を第一接触箇所とし、
前後方向における前記任意の箇所とは異なる他の箇所において、前記摺動板または前記挟持部と、これに対面する前記凸部と、の接触箇所を第二接触箇所としたとき、
前記第一接触箇所と前記第二接触箇所とは、幅方向において異なる位置にある請求項１２から１４のいずれか一項に記載のマガジン。
【請求項１６】
前記凹凸面が、梨地面である請求項１２から１５のいずれか一項に記載のマガジン。
【請求項１７】
前記凸部が、前記縁部に植設された繊維体であって、密集して前記凹凸面を構成する請求項１２から１５のいずれか一項に記載のマガジン。
【請求項１８】
前記繊維体は、前記縁部と、前記縁部に対面する前記摺動板または前記挟持部と、の間の距離を上回る長さを有する請求項１７に記載のマガジン。
【請求項１９】
前記凸部が、前記縁部において規則的に配列した曲線または直線、またはこの組み合わせでなる突条部である請求項１２から１５のいずれか一項に記載のマガジン。
【請求項２０】
前記凸部が、前記縁部において不規則的に形成された曲線または直線、またはこの組み合わせでなる突条部である請求項１２から１５のいずれか一項に記載のマガジン。
【請求項２１】
複数の商品が前後方向に一列に搭載される搭載部と、前記搭載部に沿って前後移動するように設けられた押板と、を備えるマガジンに対し装着される残数表示ユニットであって、
巻部材がうず巻状に巻かれてなる巻体と、
前記巻体を収容する枠体と、を有し、
前記巻体から繰り出された巻部材は、繰り出された量によって視認態様が変化する領域を有することを特徴する残数表示ユニット。
【請求項２２】
前記搭載部の前面に装着するための係止部を備える請求項２１に記載の残数表示ユニット。
【請求項２３】
前記巻部材は、先端領域を前記押板に対し着脱可能に連結するための連結部を有する請求項２１または２２に記載の残数表示ユニット。
【発明の詳細な説明】
【技術分野】
【０００１】
本発明は、複数の商品が前後方向に一列に搭載されるマガジンに関する。特に、複数のマガジンを上下方向に積み上げ可能なマガジンであって、商品残数をマガジンの外部から確認可能なマガジンおよび残数表示ユニットに関する。
【背景技術】
【０００２】
コンビニエンスストアなどの店舗では、様々な商品がいわゆる什器（商品陳列棚）に陳列されている。
多様な商品のうち、例えばたばこ商品などの特定の商品を陳列するための什器は、電子キャッシュレジスタなどの販売処理装置が載置されたレジカウンタ上またはその周辺に配置されることが一般的である。ここでいうたばこ商品とは、実際に喫煙される紙巻たばこではなく、複数の紙巻たばこを収容している直方体状のパッケージを意味している。
【０００３】
什器の棚には、複数の商品を前後方向に一列に搭載するための商品搭載用の容器が複数設置される。上記商品搭載用の容器は一般的にはマガジン、カートリッジまたはホルダーなどと呼ばれている。以下、かかる容器をマガジンと呼称する。
【０００４】
ところでマガジンに搭載された商品の残数が減ってくると、店舗従業員は、商品を適宜補充する必要がある。したがって商品の個数を人為的に数えなくとも、商品の残数が減ってきたことを認識したいという要望があった。これに対し、マガジンの搭載部に搭載されている商品が所定個数以下となったことを表示する下記技術が提案されている。
【０００５】
即ち、特許文献１は、載品台の下部に渦巻状板バネの巻体が係着された商品繰り出し器の発明（以下、「従来技術１」ともいう）が開示されている。上記巻体は、載品台に載置された商品の下部であって、載品台の底面より下方向に張り出した位置において設置されている。
従来技術１の載品台の上部には押出体が設けられており、上記巻体から繰り出された板バネは、上記押出体の下部の係止部に係止されている。加えて、商品の残数に応答する数字が板バネに付され、当該数字が、載品台の下部のスカート部に設けられた透孔より視認可能となっている（同文献図５）。以上の構成を備える従来技術１は、載品台に載置される商品の残数がマガジンの外部から把握可能である。
【先行技術文献】
【特許文献】
【０００６】
【特許文献１】実開平３−６９４５９号公報
【発明の概要】
【課題を解決するための手段】
【０００７】
本発明のマガジンは、複数の商品が前後方向に一列に搭載される搭載部と、上記搭載部に沿って前後移動するように設けられた押板と、を備えるマガジンであって、上記搭載部は、搭載される上記商品の最前位置を規定するための商品停止部を有し、上記商品停止部より前方に巻部材がうず巻状に巻かれてなる巻体が設けられており、上記巻体から繰り出される上記巻部材の先端が上記押板に連結されていることによって、上記押板の前後移動に連動して上記巻体から繰り出される上記巻部材の繰り出し量が変化するとともに、上記巻部材が所定箇所において上記マガジンの外部から視認されることによって上記商品の残数を報知可能であることを特徴とする。
【０００８】
また本発明の残数表示ユニットは、複数の商品が前後方向に一列に搭載される搭載部と、上記搭載部に沿って前後移動するように設けられた押板と、を備えるマガジンに対し装着される残数表示ユニットであって、巻部材がうず巻状に巻かれてなる巻体と、上記巻体を収容する枠体と、を有し、上記巻体から繰り出された上記巻部材は、繰り出された量によって視認態様が変化する領域を有することを特徴する。
【図面の簡単な説明】
【０００９】
【図１】本発明の第一実施形態におけるマガジンの側面図である。
【図２】本発明の第一実施形態におけるマガジンの平面図である。
【図３】本発明の第一実施形態におけるマガジンの裏面図である。
【図４】本発明の第一実施形態におけるマガジンの正面図であり、商品の残数が所定数Ｎ（Ｎは自然数）を上回る状態を示す。
【図５】本発明の第一実施形態におけるマガジンの正面図であり、残数表示ユニットを装着する前の状態を示す。
【図６】図６Ａは本発明の第一実施形態に用いられる残数表示ユニットの正面図であり、図６Ｂは、同残数表示ユニットの背面図である。
【図７】図６Ａに示す残数表示ユニットのＢ−Ｂ断面図である。
【図８】図２に示すマガジンのＡ−Ａ部分拡大断面図である。
【図９】本発明の第一実施形態におけるマガジンの正面図であり、商品の残数が所定数以下である状態を示す。
【図１０】本発明の第二実施形態におけるマガジンの平面図である。
【図１１】本発明の第二実施形態におけるマガジンの裏面図である。
【図１２】図１１に示すマガジンのＤ−Ｄ断面図である。
【図１３】本発明の第二実施形態におけるマガジンの縁部に設けられる凹凸面を含む部分平面図であり、図１３Ａは、リング状の突条形状の凸部が規則的に設けられてなる凹凸面の態様を示し、図１３Ｂは、斜線状の突条形成の凸部が規則的に設けられてなる凹凸面の態様を示しい、図１３Ｃは、繊維状体である凸部が密集して植設してなる凹凸面の態様を示す。
【図１４】図１４Ａおよび図１４Ｂは図１０に示すマガジンのＣ−Ｃ断面図であり、図１４Ａは商品を押す押板が前方に移動する状態を示し、図１４Ｂは商品を押す押板が手動により後方に押し戻される状態を示す。
【図１５】図１５Ａおよび図１５Ｂは、図２に示すマガジンに関し、図１０に示すマガジンのＣ−Ｃ断面に相当する位置で切断したときのマガジンの断面図であり、図１５Ａは商品を押す押板が前方に移動する状態を示し、図１５Ｂは商品を押す押板が手動により後方に押し戻される状態を示す。
【発明を実施するための形態】
【００１０】
以下、本発明について、図面を用いて説明する。すべての図面において、同様の構成要素には同一の符号を付し、重複する説明は適宜に省略する。尚、本実施の形態では図面上、前後左右上下の方向を規定して説明する場合がある。しかし、これは構成要素の相対関係を簡単に説明するために便宜的に規定するものであり、本発明を実施する製品の製造時や使用時の方向を限定するものではない。特にマガジンに関連する前後は、マガジンの正面側を前方向、背面側を後方向とする。またマガジンに関連する左右は、マガジンの幅方向であって正面側から観察したときの左右をいう。
また本発明の各種の構成要素は、個々に独立した存在である必要はなく、一つの構成要素が他の構成要素の一部であること、ある構成要素の一部と他の構成要素の一部とが重複していること、等を許容する。
また本実施形態に示される各構成要素は、本発明の趣旨を逸脱しない範囲において適宜、他の実施態様に転用可能である。
【００１１】
第一実施形態は、第一の本発明のマガジンの実施態様に関し、巻体を用い搭載される商品の残数を表示可能なマガジンに関する。
第二実施形態は、第二の本発明のマガジンの実施態様に関し、搭載部の底板部における縁部に凹凸面を有するマガジンに関する。
【００１２】
＜第一実施形態＞
図１から図９を用いて本発明の第一実施形態について説明する。図１は、本発明の第一実施形態におけるマガジン１００の側面図である。図２は、本発明の第一実施形態におけるマガジン１００の平面図である。図３は、本発明の第一実施形態におけるマガジン１００の裏面図である。図４は、本発明の第一実施形態におけるマガジン１００の正面図であり、たばこ商品６０の残数が所定数Ｎ（Ｎは自然数）を上回る状態を示す。図５は、本発明の第一実施形態におけるマガジン１００の正面図であり、残数表示ユニット２００を装着する前の状態を示す。
図６Ａは、本発明の第一実施形態に用いられる残数表示ユニット２００の正面図であり、図６Ｂは、同残数表示ユニット２００の背面図である。図７は、図６Ａに示す残数表示ユニット２００のＢ−Ｂ断面図である。図８は、図２に示すマガジン３００のＡ−Ａ部分拡大断面図である。図９は、本発明の第一実施形態におけるマガジン３００の正面図であり、たばこ商品６０の残数が所定数以下である状態を示す。
尚、図２および図３は、たばこ商品６０の図示を省略している。
【００１３】
図１から図３に示すとおり、本実施形態に係るマガジン１００は、複数の商品（たばこ商品６０）が前後方向に一列に搭載される搭載部１０と、搭載部１０に沿って前後移動するように設けられた押板２０と、を備える。搭載部１０は、搭載される商品（たばこ商品６０）の最前位置を規定するための商品停止部である前壁部１３を有する。
商品停止部である前壁部１３より前方に巻部材３１がうず巻状に巻かれてなる巻体３０が設けられている。
巻体３０から繰り出される巻部材３１の先端は、押板２０に連結されている。これにより、押板２０の前後移動に連動して巻体３０から繰り出される巻部材３１の繰り出し量が変化する。また、これとともに、巻部材３１が所定箇所である表示窓４０においてマガジン１００の外部から視認されることによって商品（たばこ商品６０）の残数を報知可能である。
ここで、商品停止部より前方に巻体３０が設けられているとは、巻体３０の全体が、完全に商品停止部よりも前方に位置することを意味する。ただし、巻体３０から繰り出された巻部材３１が、商品停止部よりも後方に伸長することを除外するものではない。
【００１４】
上記構成を備えるマガジン１００は、搭載部１０における最前位置に位置するたばこ商品６０（６０ａ）よりも前方に、巻体３０が設けられる。このため、たばこ商品６０の前方空間を有効に利用してたばこ商品６０の残数の報知を行うことができる。本実施の形態において、残数の報知は、巻部材３１がマガジン１００の所定箇所において、前方または後方から視認されることによって行われる。換言すると、上記所定箇所は、マガジン１００の前方または後方から視認される領域に設けられる。特には上記所定箇所は、マガジン１００の前方から視認される領域に設けられる。
即ち、本実施形態にかかるマガジン１００は、巻体３０の設置位置と、たばこ商品６０の搭載位置とが上下方向において重ならないので、巻体３０を設けることによるマガジン１００の上下寸法の拡張を強制しない。
【００１５】
本実施形態に係るマガジン１００は、搭載部１０、押板２０、付勢部材としてのリール９０を備えている。
搭載部１０は、複数の商品（例えば、たばこ商品６０）が前後方向に一列に搭載されるトレーである。押板２０は、搭載部１０に沿って前後に移動するように設けられている。付勢部材（リール９０）は、押板２０を前方に付勢する手段である。押板２０は、最後列のたばこ商品６０である、たばこ商品６０ｂの背面を前方に付勢する。最前列のたばこ商品６０である、たばこ商品６０ａが搭載部１０から取り出されると、押板２０は残りの商品を前方に移動させる。
【００１６】
巻体３０は、巻部材３１がうず巻状に巻かれて構成される。巻部材３１は、うず巻きの中心に位置する基端３２と、繰り出される側の端部である先端３３とを有する、長尺部材である。上記長尺部材は、適度な幅寸法を有するリボン状の部材を含む。商品停止部よりも前方に設置されるとともに、巻部材３１の先端３３が押板２０に連結されており、押板２０の前後移動に連動して、巻部材３１の繰り出し量が変化する。また、これとともに、巻部材３１が所定箇所である表示窓４０においてマガジン１００の外部から視認されることによって商品（たばこ商品６０）の残数を報知する。即ち、巻体３０は、マガジン１００において残数表示部材である。
巻体３０は、押板２０が前後に移動可能な範囲において最後方に引き下げられたとき、巻部材３１の繰り出し量が最大となる。そして、押板２０が前進するにつれて、巻部材３１は、巻体３０に巻き取られるため、繰り出し量が小さくなる。搭載部１０に搭載されるたばこ商品６０が搭載部１０から取り出されて残数が減じるごとに、押板２０が前進する。そのため、巻部材３１の繰り出し量は、搭載部１０に搭載されるたばこ商品６０の残数と対応させることが可能である。また所定箇所を通過する巻部材３１の特定の箇所と、搭載部１０に搭載されるたばこ商品６０の残数とを関連づけることが可能である。
【００１７】
たとえば巻体３０は、弾性エネルギを蓄積できる部材であって、繰り出された巻部材３１を自己の弾性エネルギにより巻き取り可能な部材である。具体例としては、巻体３０が巻バネであってよい。
また巻体３０は、自己において弾性エネルギを蓄積できない部材であってもよい。具体的には、巻部材３１が、巻き取り可能な柔軟性と適度なこしを備えた部材からなり、これがロール状に巻かれるとともに、巻部材３１の基端３２が、巻き取り方向に回転可能な回転軸に固定されていてもよい。上記回転軸は、たとえば図４に示す中心軸５３に対して巻き取り方向に回転可能な回転力を与えることによって構成することができる。
【００１８】
上述のとおり、本実施形態にかかるマガジン１００は、押板２０を前方に付勢する付勢部材（リール９０）を、巻体３０とは別体として有している。
巻体３０とは別の付勢部材（リール９０）を備えることによって、たばこ商品６０を前方へ押す押板２０の付勢を確実にするとともに巻体の設計の自由度を上げることができる。
巻体３０と、別体である付勢部材（リール９０）を備える態様において、特に、巻体３０の付勢力よりも、別体である付勢部材（リール９０）の付勢力が大きいことが好ましい。
【００１９】
ただし、巻体３０として、弾性エネルギを蓄積できる部材であって、繰り出された巻部材３１を自己の弾性エネルギにより巻き取り可能な部材を選択した場合には、巻体３０の弾性エネルギにより押板２０を巻体３０に引き付ける方向に付勢することができる。押板２０を巻体３０に引き付ける方向とは、押板２０が前進する方向である。したがって本発明は、別体で設けられる、押板２０を前方に付勢する付勢部材を省略する態様を含む。
即ち、巻部材３１の先端３３が押板２０に連結されていることから、巻体３０の巻き取り力を、押板２０を前進するための付勢力としても利用しうる。ここでいう巻体３０の巻き取り力とは、自己において蓄積される弾性エネルギにより巻部材３１を巻き取る力および上記回転可能な回転軸による巻部材３１の巻き取り力のいずれも含む。したがって、本実施形態は変形例として、付勢部材であるリール９０を省略し、巻体３０だけで、押板２０を前方に付勢する態様を含む。付勢部材を省略する上記変形例では、例えば、巻体３０を搭載部１０の幅方向の略中央に設置することができる。かかる場合には巻体３０より繰り出された巻部材３１は、押板２０の幅方向の中心を含む領域に連結することができる。より具体的には、例えば挟持部２３の下面において幅中心を含む領域に巻部材３１の先端領域を連結することができる。また異なる態様として、図１から図３に示すマガジン１００において付勢部材であるリール９０を省略したこと以外は同様の構成とすることもできる。即ち、巻体３０の幅方向中心が、搭載部１０の幅方向中心から外れた位置になるよう、巻体３０を設置した状態で、押板２０の付勢部材として兼用することもできる。
【００２０】
マガジン１００において、商品停止部は前壁部１３である。即ち、搭載部１０の最前に搭載されるたばこ商品６０（６０ａ）の前面は前壁部１３の背面に当接することにより前進が規制される。巻体３０は、商品停止部である前壁部１３より前方に設けられている。
即ち、搭載部１０は、搭載部１０の前縁を仕切る前壁部１３を有する。本実施形態にかかるマガジン１００において、前壁部１３は、商品停止部としても機能している。
本実施形態において、商品停止部は、押板２０により後方より前方に向けて前進力を付与されたたばこ商品６０の前進を規制することができる部材である。
【００２１】
前壁部１３よりもさらに前方に巻体３０を設けることによって、搭載部１０の前方方向の空間を有効に利用することができる。また、巻体３０を設置するためのスペースを、搭載部１０の内部に求めず、前方の開放された空間に求めるため、既存の残数表示機能のないマガジンに巻体３０を設け、マガジン１００を構成することが可能である。
【００２２】
マガジン１００における前壁部１３は、二重の板状部、すなわち前板部１３ａおよび後板部１３ｂを備える。たばこ商品６０（６０ａ）の最前位置は、後板部１３ｂの背面にたばこ商品６０（６０ａ）が当接することにより規制される。
前壁部１３の前板部１３ａは底板部１１の前端より上方に向けて垂直に起立している。後板部１３ｂは、前板部１３ａから後方に離間した位置において底板部１１より垂直に起立している。したがって前板部１３ａと後板部１３ｂとの間には一定のスペースが確保されており、商品ラベル（図示略）などが差し込まれるラベルホルダ１７として利用することができる。
【００２３】
ただし、本発明における商品停止部は、前壁部１３に限定されるものではない。たとえば、図示省略するが、搭載部１０の前方領域であって前壁部１３より後方側において、前壁部１３とは別体である商品停止部が設けられていてもよい。商品停止部は、板状体であってもよいし、押板２０によって前方に押されるたばこ商品６０の前進を規制することができる範囲で、棒状部材、凸状部材などの任意の形状のストッパーであってよい。
【００２４】
巻体３０から繰り出される巻部材３１は、搭載部１０に搭載されるたばこ商品６０の残数と対応して所定箇所から視認される際の視認態様が変化する。これによって、搭載部１０に搭載されているたばこ商品６０の残数が所定数Ｎ（Ｎは自然数）以下であることを表す残数情報を示すことができる。
【００２５】
搭載されるたばこ商品６０の残数が少なくなるほど、押板２０が前進し、これによって、巻部材３１が巻体３０に巻き取られるため、繰り出し量が小さくなる。したがって、繰り出し量が所定の量になったときと、たばこ商品６０が所定数になったときとを連関させて、巻部材３１の所定の領域の視認態様を予め変化させておく。そして、視認態様の変化を所定箇所から確認することによってたばこ商品６０の残数を明確に知ることができる。
残数情報とは、上記視認態様の変化によりマガジン１００の外部から所定箇所を視認する者に与えられるたばこ商品６０の残数に関する情報である。例えば、所定数Ｎが「３」である場合には、たばこ商品６０の残数が４個であるときと、たばこ商品６０の残数が３個であるときにマガジン１００における所定箇所から視認される巻部材３１の視認態様が変化する。視認態様の変化は、たとえば、巻部材３１の所定の領域ごとに着色される色を変更し、あるいは、巻部材３１の所定の領域に、たばこ商品６０の残数に対応する数字を付することなどで対応することができる。
【００２６】
巻部材３１の所定の領域の視認態様を変化させる手段は特に限定されないが、たとえば、巻部材３１の所定の位置Ｓにおいて巻部材３１を区画し、基端３２の側と、先端３３の側とを異なる色で着色する手段を挙げることができる（たとえば図３）。かかる態様では、押板２０が後方にあるときには、所定箇所から、巻部材３１ａの領域に付された色が視認される。そして押板２０が前進することによって巻部材３１は、基端３２側に巻き取られて繰り出し量が減少し、たばこ商品６０が所定数となったときに巻部材３１ｂ  に付された色が視認されることとなる。
図３において、巻部材３１ａに対し巻部材３１ｂを異なる色で着色したことを示すために、表示窓４０から視認される巻部材３１ｂの面を斜線で示した。
【００２７】
巻部材３１の所定の領域の視認態様を変化させる手段の異なる態様としては、たばこ商
品６０の残数に合わせて、所定箇所から視認される巻部材３１の所定の領域に、残数に対応する数字を付しておくこともできる。
ただし、たばこ商品６０は、銘柄により厚み方向の寸法が異なる場合がある。したがって、たとえば標準的な形状のたばこ商品６０の厚みを勘案して、巻部材３１に上記数字を付すとよい。
たばこ商品６０の銘柄により厚み方向の寸法が異なるという観点からは、先に述べたとおり、所定の位置Ｓにより巻部材３１を区画し、位置Ｓを境に付される色を分ける態様が好ましい。たばこ商品６０の残数と、巻部材３１の繰り出し量が標準よりややずれたとしても、そのずれをカバー出来得るからである。尚、本実施形態では、巻部材３１を一か所の位置Ｓで区画して、基端３２の側と先端３３の側とにおいて、２色に色分けした例を示した。しかし着色の態様はこれに限定されず、位置Ｓを巻部材３１の長さ方向に３以上設け、３色以上の領域を色分けし、残数の程度をマガジンの外部から段階的に視認させてもよい。
【００２８】
次に、巻体３０の設置の例について図８を用いて詳細に説明する。
【００２９】
マガジン１００は、巻体３０を収容する枠体５０を有している。枠体５０は、搭載部１０に装着されている。
かかる構成によれば、巻体３０自体を搭載部１０に装着する場合に比べて、安定して巻体３０をマガジン１００に装着することができる。
【００３０】
枠体５０は、巻体３０の前方において起立する前面部５１を有している。前面部５１には、表示窓４０が設けられている。表示窓４０の後方側に巻体３０が位置しており、表示窓４０を介して、巻部材３１がマガジン１００の外部から視認可能である。
【００３１】
表示窓４０を設けることにより、たばこ商品６０の残数を示す領域（即ち、表示窓４０の内部）と、それ以外の領域とを区画化することにより、残数表示の視認性を向上させることができる。
【００３２】
図４および図９に示されるように、マガジン１００は、前面部５１の左下に表示窓４０が設けられている。巻体３０は、表示窓４０の後方側に位置している。
前面部５１の下側領域であって左右いずれかに寄って表示窓４０が設けられることにより、前面部５１の前面の中央部を任意の表示領域として有効に利用することができる。マガジン１００では、上記表示領域に、マガジン番号として「１２」が付されている。これば複数のマガジン１００を幅方向および上下方向に多段に積み上げて利用する際に、たばこ商品６０の購入者がたばこ商品６０の銘柄ではなく、マガジン番号を指し示して希望の銘柄を指定することに役立つ。
【００３３】
マガジン１００は、たばこ商品６０の残数が所定数を上回るとき、巻部材３１ａが表示窓４０から視認される（図４）。またマガジン１００は、たばこ商品６０の残数が所定数以下となったとき、巻部材３１ｂが表示窓４０から視認される（図９）。表示窓４０から視認される巻部材３１ｂの面は、巻部材３１ａとは異なる色で着色されていることを図９においては斜線で示した。巻部材３１ａは、たばこ商品６０の残数が所定数を上回るとき、表示窓４０に面する領域であり、巻部材３１ｂは、たばこ商品６０の残数が所定数以下となったときに、表示窓４０に面する領域である。
【００３４】
たばこ商品６０の残数報知を効果的に行うためには、前面部５１の前面を任意の色で着色し、これと異なる色を付した巻部材３１を、表示窓４０を介して視認させるとよい。尚、ここでいう色とは、有彩色だけではなく無彩色を含む。
たとえば、前面部５１の前面を黒、白、あるいは灰色などの無彩色とし、巻部材３１における位置Ｓより基端３２の側である巻部材３１ａを上記無彩色とし、位置Ｓより先端３３の側である巻部材３１ｂを彩度の高い赤色などとすることが好ましい。これにより、巻部材３１ｂが表示窓４０から視認されたとき、たばこ商品６０の残数が所定数以下となったことを良好に報知することができる。即ち、前面部５１の前面の色に対し、巻部材３１ｂが明度、彩度および色相のうち少なくともいずれか１つが異なる色であれば、巻部材３１の繰り出し量が所定量以下となったときにたばこ商品６０の残数が所定数以下となったことを報知可能である。
また逆に、前面部５１の前面の色に対し、巻部材３１ａが明度、彩度および色相のうち少なくともいずれか１つが異なる色であれば、巻部材３１の繰り出し量が所定量未満であるとき、たばこ商品６０の残数が所定数を上回っていることを報知可能である。
尚、ここでいう巻部材３１ａおよび巻部材３１ｂの色とは、少なくとも、表示窓４０から視認される側の面の色をいう。
【００３５】
本実施形態の変形例として、巻部材３１の一部が枠体５０の外側に引き出され、枠体５０の外部における所定の位置を経由するとともに、当該所定の位置にてマガジン１００の外部から巻部材３１が視認される態様を含む。即ち、巻部材３１による残数の表示は、表示窓４０において示される態様に限定されず、例えば表示窓４０を省略し、枠体５０の外部に、たばこ商品６０の残数を報知するための所定箇所を設けることもできる。
【００３６】
枠体５０は、マガジン１００の幅方向において巻体３０を外部と区画する側面部５２を有している（図６から図８）。巻部材３１の基端３２は、巻体３０の中心軸５３に接合している。中心軸５３の両端である端部５４は、側面部５２の内側面に留められている（図６）。
上記両端である端部５４を結ぶ直線と、中心軸５３の伸長線とは一致した直線（以下、「取り付け直線」と称する）である。巻部材３１の繰り出し方向に対し、上記取り付け直線が略垂直となっている。このため、枠体５０において、巻体３０の取り付け姿勢が安定する。
【００３７】
側面部５２に対する中心軸５３の留め方は、巻体３０の態様によって、適宜変更することができる。たとえば、上述するとおり、巻体３０が巻きバネなどであって、自己において弾性エネルギを蓄積可能な部材である場合には、中心軸５３の端部は側面部５２に固定して留めることができる。また、巻体３０自体には弾性エネルギを蓄積して巻部材３１を巻き取る機能がない場合には、巻部材３１の巻き取り方向に回転可能に中心軸５３を側面部５２に対して軸支するとよい。かかる場合には、中心軸５３を所望の回転方向に付勢するための付勢部材が設けられる。上記付勢部材としては、たとえばねじりばねなどが挙げられる。
【００３８】
図８に示されるとおり、中心軸５３の高さ位置は、搭載部１０の底板部１１よりも高い位置にある。巻体３０の下端は、押板２０の挟持部２３の底面と略同等の高さにある。
【００３９】
尚、中心軸５３を用いて巻体３０の収容姿勢を安定する態様は本実施形態の一例である。本実施形態は、巻体３０を枠体５０に収容し、かつ、巻体３０から巻部材３１が繰り出し、且つ、繰り出した巻部材３１を巻き取る動作を許容する他の種々の態様を包含する。例えば、枠体５０の内部において、巻体３０の幅方向および上下方向の移動を規制する規制部を設け、収容された巻体３０の姿勢が実質的に枠体５０の内部において変更されないよう構成することもできる。また枠体５０の寸法を、巻体３０を収容するために過不足ない大きさにし、枠体５０を構成する壁面で、巻体３０の幅方向、前後方向および上下方向の動作を規制することもできる。
【００４０】
本実施形態にかかるマガジン１００において、枠体５０は、搭載部１０に着脱可能に係止されている。
より具体的には、枠体５０は、下方向に開口のフック５５を備える。フック５５を、上方より前板部１３ａと後板部１３ｂとの間のスペースに差し込むことにより、枠体５０が吊り下げされた状態で、搭載部１０に着脱可能に係止されている。
枠体５０は、着脱可能であることから、修理や交換が容易である。
【００４１】
図８に示すとおり、枠体５０は、前面部５１と対向する背面部５６を有している。フック５５は背面部５６の上辺から後方に前板部１３ａの厚み寸法程度、延伸する上底部５５ａと、上底部５５ａの後端から下垂してなる下垂部５５ｂとからなる（図８）。背面部５６の後方側の面と、前板部１３ａの前面と、は当接しており、これによって枠体５０の吊り下げ姿勢が安定する。
【００４２】
枠体５０を搭載部１０に着脱可能に係止する手段は、フック５５に限定されない。たとえば、枠体５０の両側面である、側面部５２、側面部５２から後方に伸長する二本の腕部を設け、二本の腕部で搭載部１０の両側壁である、側壁部１２、１２を挟み込んで、枠体５０を搭載部１０に係止することができる（図示省略）。あるいは、背面部５６と前板部１３ａとに互いに引き合う磁性体部を設け、磁力により枠体５０を搭載部１０に係止してもよい（図示省略）。
【００４３】
また本発明は、取り外しを繰り返しできない状態で、枠体５０が搭載部に対し装着される態様を含む。かかる態様では、例えば接着テープ、接着剤、任意の留め具などで枠体５０を搭載部１０に接合してよい。
【００４４】
枠体５０に収容された巻体３０は、以下のとおり押板２０と連結されている。
枠体５０を構成する背面部５６は、下部であって表示窓４０の後方に前後方向に貫通する第一通路５７が形成されている（図７）。また、前壁部１３であって底板部１１より下方に延伸する領域に第二通路５８が形成されている（図５）。図８に示すとおり、第一通路５７と、第二通路５８とは、枠体５０を搭載部１０に装着したとき対面する。枠体５０が搭載部１０に装着された状態で、巻部材３１の先端３３は、第一通路５７および第二通路５８を前方から後方に向けて通過し挟持部２３の底面まで伸長している。そして先端３３を含む巻部材３１の先端領域が挟持部２３の底面に連結されている。
枠体５０に設けられた第一通路５７と搭載部１０に設けられた第二通路５８とが、対面して連通しており、これらの通路を通過する巻部材３１は、前方から後方へと伸長可能となり、押板２０と連結可能となる。
【００４５】
第一通路５７および第二通路５８は、前後方向に巻部材３１を通すことが可能な通路であればよく、例えば前後方向に貫通する孔、あるいは任意の方向から切り込まれた切り込み部等であってよい。マガジン１００は、図８に示すとおり、前後方向に貫通する孔である第一通路５７および第二通路５８を備える。
【００４６】
巻体３０の設置位置が、搭載部１０の左右の側壁部１２のいずれか一方に寄っている場合には、後方に伸長する巻部材３１が挟持部２３と連結可能なように、挟持部２３の側面から側壁部１２に延伸する延伸部５９を設けてもよい（たとえば図２、図３）。
マガジン１００の底板部１１の下方であって搭載部１０の幅方向略中央には、リール９０より繰り出されるリール紐５０１が存在する。
したがって、押板２０に搭載された巻体３０を幅方向のいずれか一方に寄って設置し、幅方向略中央領域を除く位置で巻部材３１を前後方向に伸長させることにより、リール紐５０１と巻部材３１との接触を避けることができる。
【００４７】
搭載部１０はたばこ商品６０を載置するための底板部１１を有しており、巻部材３１は、底板部１１の下方を通って押板２０に連結されている（図３、図８）。
【００４８】
図８に示されるとおり、押板２０の底部は、底板部１１と平行に配置され底板部１１の上面に対して摺動する摺動板２１と、摺動板２１との協働で底板部１１を挟持する挟持部２３と、を有している。
図３から理解容易であるが、底板部１１は、搭載部１０の前後方向に延在するスリット１１ａを有するとともにスリット１１ａの幅方向に隣接する縁部６５を有している。摺動板２１と挟持部２３とにより縁部６５を挟み込むことによって押板２０が前後方向に移動可能に設けられている。巻部材３１は、挟持部２３に連結している。
【００４９】
かかる構成により、巻部材３１は、たばこ商品６０との接触および対面が回避されている。たばこ商品６０も、巻部材３１も、押板２０の前進により動作するところ、たばこ商品６０と、巻部材３１と、が底板部１１を介して物理的に離間しているために、一方の動作が他方の動作を阻害する恐れがない。
【００５０】
本実施形態にかかるマガジン１００は、複数の商品（たばこ商品６０）が前後方向に一列に搭載される搭載部１０と、搭載部１０に沿って前後移動するように設けられた押板２０と、を備える既存のマガジンに対し、本発明の残数表示ユニット２００を装着することにより構成すことが可能である。
図７に示すように、残数表示ユニット２００は、巻部材３１がうず巻状に巻かれてなる巻体３０と、巻体３０を収容する枠体５０と、を有している。巻体３０から繰り出された巻部材３１は、繰り出された量によって視認態様が変化する領域を有する。上記領域は、具体的には上述する色分けされた巻部材３１ａおよび巻部材３１ｂである。また図示省略する他の上記領域の例としては、たばこ商品６０の残数に対応する数字の付された巻部材３１でもよい。
ここでいう装着は、繰り返して着脱可能とする装着、繰り返して着脱することを予定しない装着を含む。繰り返して着脱することを予定しない装着としては、たとえば枠体の一部を既存のマガジンに接着する態様が挙げられる。
【００５１】
残数表示ユニット２００は、既存のマガジンに装着することによって、当該既存のマガジンに残数報知機能を付与することが可能である。
【００５２】
たとえば残数表示ユニット２００は、搭載部１０の前面に装着するための係止部を備えることができる。上記係止部は、フック５５を含み、上述する係止部と同様であるためここでは詳細の説明を割愛する。
【００５３】
残数表示ユニット２００は、上記係止部を備えることにより、既存のマガジンに容易に装着することができる上、繰り返して着脱可能である。
【００５４】
巻部材３１は、先端領域２０１を押板２０に対し着脱可能に連結するための連結部を有していてもよい。
例えば、図８において示す挟持部２３に対向する先端領域２０１において、挟持部２３に着脱可能に連結するための連結部を備えていてもよい。当該連結部の連結を可能とするために、挟持部２３の側にも、補助連結部を設けることもできる。
より具体的には、挟持部２３の側に前方に凸のフックである補助連結部を設け、一方、先端領域２０１の側に後方に凸のフックである連結部を設け、これらを係合させることにより、互いを着脱可能に連結させることが可能である。あるいは、挟持部２３の側に補助連結部として補助磁性体部を設け、且つ先端領域２０１の側に、補助磁性体部に吸着する磁性体部を設け、これらを吸着させることにより、互いを着脱可能に連結させることも可能である。
【００５５】
上記連結部を備えることにより、残数表示ユニット２００を既存のマガジンに、繰り返し着脱することを、より容易に実現することができる。また残数表示ユニット２００の修理や交換などのときにも、着脱が容易にであって取り扱性が向上する。
【００５６】
以下、本実施形態のマガジン１００を詳細に説明する。
【００５７】
図１から図３に示すように、搭載部１０は、上方に向けて開口する半筐体状に形成されている。搭載部１０は、底板部１１と、左右一対の側壁部１２と、底板部１１の前端に対して垂直に設けられた前壁部１３と、底板部１１の後端に対して垂直に設けられた後壁部１４と、を有する。
前壁部１３の前板部１３ａは底板部１１の前端より上方に向けて垂直に起立している。後板部１３ｂは、前板部１３ａから僅かに後方に離間した位置において底板部１１より垂直に起立している。
前壁部１３は、上述のとおり、前板部１３ａと後板部１３ｂとにより、商品ラベル（図示略）などが差し込まれるラベルホルダ１７を構成している。
後壁部１４も、二重の板状部、すなわち前板部１４ａおよび後板部１４ｂからなる。
後壁部１４の前板部１４ａは底板部１１の後端に対して直交するように設けられ、後壁部１４の後板部１４ｂは、前板部１４ａから僅かに後方に離間した位置において前板部１４ａと一体的に設けられている。
前板部１４ａと後板部１４ｂとの間には、商品ラベル（図示略）などが差し込まれるラベルホルダ１８が形成されている。
左右の側壁部１２は、底板部１１の左右両端に対してそれぞれ直交するように設けられ、底板部１１よりも上方に起立し、且つ、底板部１１よりも下方へ垂下している。
搭載部１０は、例えば、無色透明樹脂などにより構成することができる。また搭載部１０の任意の領域を着色面としてもよい。
【００５８】
マガジン１００の一つの使用態様としては、上下方向および左右方向に多数の棚を備える什器に、マガジン１００を設置してマガジン積層構造体を構成する態様が挙げられる。ブレード１９は、マガジン１００を什器の棚に設置する際に、什器の棚の底面に設けられた凹部に篏合させてマガジン１００の設置の姿勢を安定化させるための部材である。什器に設置されたマガジン１００の設置の姿勢を安定化させるための手段はこれに限定されず、たとえば、什器の棚の底面に凸部を設け、一方、当該凸部に篏合する凹部をマガジン１００の底板部１１の下面に設けておき、これらを篏合させてもよい。
【００５９】
搭載部１０は、底板部１１と、左右の側壁部１２と、前壁部１３の後板部１３ｂと、後壁部１４の前板部１４ａと、により囲まれた半筐体状の領域に、複数のたばこ商品６０を縦置きで前後に列をなすように収容可能となっている。例えば、搭載部１０には、最大で標準寸法の１５個のたばこ商品６０を搭載可能となっている。尚、たばこ商品６０は銘柄により前後方向寸法が異なるため、搭載部１０におけるたばこ商品６０の搭載数は、銘柄によって異なる場合がある。
【００６０】
底板部１１には、該底板部１１に押板２０を連結するためのスリット１１ａが、前後方向に延在するように形成されている。このスリット１１ａは、例えば、底板部１１の幅方向中央に位置している。
底板部１１の上面におけるスリット１１ａの両脇には、底板部１１の上面より上方に起立し、前後方向に延在する突条部１６が形成されている。たばこ商品６０は、これら突条部１６間に架設されるようにして、搭載部１０に搭載される。たばこ商品６０は、押板２０により前方に移動される際に、これら突条部１６と、左右の側壁部１２と、にガイドされて前方に摺動する。
突条部１６の前端部は、前方に向けて上り傾斜した傾斜部１６ａとなっており、最前列に前送りされたたばこ商品６０（たばこ商品６０ａ）はこの傾斜部１６ａの傾斜に沿って上方に持ち上げられるようになっている。
底板部１１の前端部上面において、左右の突条部１６の間の部分には、リール９０の後述する留め具５２０を係止固定する係止部１１ｂが形成されている。この係止部１１ｂは、例えば、左右の突条部１６の傾斜部１６ａの間に配置され、傾斜部１６ａよりも上には突出していない。このため、係止部１１ｂがたばこ商品６０の移動を阻害しないようになっている。
【００６１】
押板２０のリール保持部２５には、リール９０が嵌着されている。リール９０は、巻体３０とは別体に設けられた、押板２０に対する付勢部材である。リール９０のリール紐５０１は、背板２２の適切な箇所に形成された図示しない開口を介して、背板２２の前方に導出されている（図３）。
リール紐５０１の先端には、留め具５２０が固定されている。この留め具５２０は、底板部１１の前端部上面に設けられた係止部１１ｂに係止固定されている。リール９０のケース９１内には、図示しない板バネが渦巻き状に収納され、その板バネの一端にリール紐５０１の基端部が連結されている。板バネは、リール紐５０１をケース９１内に引き込む方向へと、リール紐５０１を付勢している。このため、押板２０は、リール紐５０１により、前方に（係止部１１ｂ側に）引っ張られている。この引っ張り力により、押板２０の背板２２が最後列のたばこ商品６０（たばこ商品６０ｂ）の背面を前方に付勢している。
搭載部１０のたばこ商品６０が残り１個になったときに、このたばこ商品６０を搭載部１０の最前部に移動できるように、押板２０の移動範囲が設定されている。
リール紐５０１は、左右一対の突条部１６の間、またはスリット１１ａ内において前後方向に延在し、突条部１６により支持されるたばこ商品６０と干渉しないようになっている。
【００６２】
以上に説明する第一実施態様にかかるマガジン１００は、搭載部１０の前方に残数表示ユニット２００が装着されてなる構成を示した。しかし本実施態様はこれに限定されるものではない。
たとえば本実施形態にかかるマガジン１００の変形例として、搭載部１０は、搭載部１０の前縁を仕切る前壁部１３を有し、前壁部１３とは別体である商品停止部が、前壁部１３よりも後方側に位置していてもよい。このとき巻体３０は、前後方向において前壁部１３と上記商品停止部との間に設けることができる。換言すると、搭載部１０の内部において、前壁部１３とは異なる商品停止部と巻体３０とを設けることができる。
かかる変形例において、巻体３０は、底板部１１の上面に設けることができる。
【００６３】
かかる変形例において、巻体３０の設置位置は、たばこ商品６０の上下方向において重複しない。したがって、巻体３０の設置により、変形例であるマガジンの上下寸法の拡張が強制されない。しかも前壁部１３よりも後方に巻体３０が設置されるため、変形例であるマガジンの前方において巻体３０が物理的障害となることがない。
【００６４】
＜第二実施形態＞
ところで、マガジン１００は、図２に示すとおりスリット１１ａの幅方向に隣接する縁部６５を有する。マガジン１００は、摺動板２１と挟持部２３とにより縁部６５を挟み込むことによって押板２０が前後方向に移動可能に設けられている（例えば図８）。
【００６５】
図１５Ａに示すとおり、かかる構成によれば、図示省略するたばこ商品６０を搭載する搭載部１０において、押板２０は、たばこ商品６０が抜き取られるごとに前進する。この際、リール９０などの付勢部材の付勢力により押板２０は前後方向に傾斜することなく平坦な姿勢で移動することが可能である。このとき、摺動板２１の底面と縁部６５の上面とは当接するが、当接面積が充分に大きいため摩擦力が分散され、押板２０の前進方向への移動がスムーズである。
あるいは、マガジン１００は、図示省略する変形例として、縁部６５の上面に、任意で前後方向に延伸する突条部を設ける態様を採用することもできる。かかる態様においても、突条部（図示省略）の上端と摺動板２１の底面とが当接し、ライン状の当接箇所が確保されるため、摩擦力が局所に集中することなく、押板２０の前進はスムーズである。
さらに摺動板２１と挟持部２３との間には、連結部２４が設けられている。連結部２４の上下方向の長さは、縁部６５の厚み寸法より僅かに大きい。そのため、押板２０が平坦な姿勢で前進する限り、挟持部２３の上面と縁部６５との底面との間にはクリアランスが形成される。したがって、押板２０が前進するとき、挟持部２３の上面と縁部６５との間には実質的に摩擦力が発生しないか、発生したとしても押板２０の前進を妨げるほどのものではない。
【００６６】
ところが、マガジン１００において押板２０を手動で後方に押し下げるとき、押板２０の動きがスムーズでなくなる場合があり、押し戻し作業がし難い場合があった。
上記課題の発生について本発明者らは以下のとおりに推測した。
即ち、図１５Ｂに示すとおり、背板２２を指で保持し後方に押板２０を押し戻そうとすると、上記クリアランスの分だけ背板２２が後方側に傾き、これに連動して摺動板２１および挟持部２３も後方側に傾く。すると、摺動板２１の後方側の端部と縁部６５とが部分的に接触するとともに、挟持部２３の前方側の端部と縁部６５とが部分的に接触する。このとき、接触部分において摩擦力が局所的に集中し、押板２０の後方への移動の弊害となると推察された。
【００６７】
そこで本発明者らは、上記課題を検討し、縁部６５の上面または下面に凹凸面を形成することにより、上記課題を解決することに成功した。
尚、第二実施形態は、図１０から図１４を用いて説明する。図１０は、本発明の第二実施形態におけるマガジン３００の平面図である。図１１は、本発明の第二実施形態におけるマガジン３００の裏面図である。図１２は、図１１に示すマガジン３００のＤ−Ｄ断面図である。図１３は、本発明の第二実施形態におけるマガジン３００の縁部６５に設けられる凹凸面７０を含む部分平面図である。図１３Ａは、リング状突条部７０１である凸部が規則的に設けられてなる凹凸面７０Ａの態様を示す。図１３Ｂは、斜線状突条部７０２である凸部が規則的に設けられてなる凹凸面７０Ｂの態様を示す。図１３Ｃは、繊維体７０３が密集して植設してなる凹凸面７０Ｃの態様を示す。図１４は、図１０に示すマガジン３００のＣ−Ｃ断面図である。図１４Ａはたばこ商品６０を押す押板２０が前方に移動する状態を示し、図１４Ｂはたばこ商品６０を押す押板２０が手動により後方に押し戻される状態を示す。マガジン３００の課題を説明するために用いる図１５は、縁部において凹凸面を有しないマガジン１００の断面図である。図１５Ａはたばこ商品６０を押す押板２０が前方に移動する状態を示し、１５Ｂはたばこ商品６０を押す押板２０が手動により後方に押し戻される状態を示す。
尚、図１０から図１５は、いずれもたばこ商品６０、巻体３０および枠体５０の図示を省略する。マガジン３００は、縁部６５に凹凸面７０を設けたこと以外は、マガジン１００と同様に構成することが可能である。したがって、マガジン３００の特徴部について図１０から図１４に示し、その他の構成は適宜、マガジン１００の説明を適用することができる。また、マガジン１００における残数表示ユニット２００の装着を割愛することによっても、マガジン３００において示される構成は実現可能であり、またこれによる特有の効果を享受することができる。
【００６８】
即ち、第二実施形態にかかるマガジン３００は、搭載部１０において商品（たばこ商品６０）を載置するための底板部１１を有する。底板部１１は、搭載部１０の前後方向に延在するスリット１１ａを有するとともにスリット１１ａの幅方向に隣接する縁部６５を有する。
押板２０の底部は、底板部１１に沿って配置され底板部１１の上面に対して摺動する摺動板２１と、摺動板２１との協働で縁部６５を挟持する挟持部２３と、を有している。
ここで縁部６５の上面または縁部６５の下面は凹凸面７０を有する。凹凸面７０は、例えば、後述する梨地面である。
本実施形態において、凹凸面７０に設けられる凸部と、摺動板２１または挟持部２３と、の接触は以下の（Ｉ）および／または（ＩＩ）の態様である。
（Ｉ）縁部６５の上面には、凹凸面７０における凸部（例えば後述する梨地面における凸部）が、摺動板２１の前後寸法内および幅寸法内の複数箇所において設けられ、上記凸部と摺動板２１とが複数箇所で接触可能である。
（ＩＩ）縁部６５の下面には、凹凸面７０における凸部（例えば後述する梨地面における凸部）が、挟持部２３の前後寸法内および幅寸法内の複数箇所において設けられ、上記凸部と挟持部２３とが複数箇所で接触可能である。
【００６９】
凹凸面７０は、複数の凸部および凹部から構成される。凹凸面７０は、平坦な面に凹部が設けられたことによって、凹部と凹部との間が実質的に凸部となった態様、または平坦な面に凸部が設けられたことによって、凸部と凸部との間が実質的に凹部となった態様を含む。
【００７０】
マガジン３００は、上記構成により、摺動板２１と縁部６５、挟持部２３と縁部６５との接触面において、多点接触が可能となる。したがって、摺動板２１と縁部６５、挟持部２３と縁部６５との接触箇所が局所的に集中することを回避することができる。これにより、押板２０を後方側に手動で押し戻す際に円滑に押板２０を動作させることが可能である。
【００７１】
図１０に示すように、マガジン３００は、縁部６５の上面（図中、格子線で示す領域）において凹凸面７０が形成されている。凹凸面７０は、摺動板２１の裏面と対向しており、両者は、当接可能である。
【００７２】
凹凸面７０は、例えば梨地加工により形成された梨地面である。梨地面は微小な凹凸が不規則的に形成された面であり、縁部６５において幅方向にも前後方向にも微細な凹凸を付与することができる。したがって、梨地面である凹凸面７０と対向する摺動板２１の面は、搭載部１０の幅方向および前後方向のいずれにおいても、複数箇所で梨地面の凸部と接触可能である。
【００７３】
押板２０が手動で押し戻されて縁部６５と摺動板２１との接触面が極小化した場合であっても、後方に向けて移動する摺動板２１の面において、不規則的に形成された微小な凹凸が接触と非接触とを繰り返すため、摩擦力の集中を回避することができる。
【００７４】
また図１１に示すように、マガジン３００は、縁部６５の下面にも格子状にて図示する領域に凹凸面７０が形成されている。上記下面に形成された凹凸面７０は、挟持部２３の上面と対応しており、両者は、当接可能である。凹凸面７０は、例えば梨地加工により形成された梨地面であってもよいが、縁部６５の上面に設けられた凹凸面７０とは異なる態様の凹凸により構成されていてもよい。即ち、縁部６５の上面および下面に形成される凹凸面は、同一の凹凸形状であってもよいし、異なる凹凸形状であってもよい。押板２０が手動で押し戻されて縁部６５と摺動板２１との接触面が極小化した場合であっても、摩擦力の集中を回避することができることは、上述で摺動板２１と縁部６５とに関し説明した内容と同様である。
【００７５】
本実施形態において、縁部６５における凹凸面は、上面側だけに設けられる場合、下面側だけに設けられる場合、上面および下面のいずれにも設けられる場合を包含する。
上下面に凹凸面が設けられる場合には、摺動板２１および挟持部２３の両方に対し、局所的な接触による摩擦力の集中という課題を解決することができる。
【００７６】
図１０および図１１に示すように、マガジン３００は、縁部６５における凹凸面７０を、押板２０の前後移動の領域に亘って設けることができる。
押板２０の前後移動の領域に亘るとは、押板２０の前後移動の領域の全体を意味する。即ち、押板２０に備わる摺動板２１または挟持部２３の前後方向の移動領域の全体において、これらと対向する縁部６５の全体に凹凸面７０を設けることができる。
かかる構成よれば、搭載部１０において搭載されるたばこ商品６０が全てなくなったときに押板２０が位置する箇所から、規定の全個数のたばこ商品６０を搭載したときに押板２０が位置する箇所まで、押板２０をスムーズに手動で押し下げることが可能である。
【００７７】
あるいは、図示省略するが、凹凸面７０は、縁部６５の前後方向における一部領域に設けられてもよい。即ち、凹凸面７０は、凹凸面７０を備えることによる効果を特に要する領域に選択的に設けることもできる。たとえば、凹凸面７０は、縁部６５の前方領域に選択的に設けてもよい。押板２０が搭載部１０の最前端に到達した後、手動で後方に引き下げられるとき、引下げ開始時の押板２０の動きだしが不良である場合には、このように縁部６５の前方領域に選択的に凹凸面７０を設けることにより、上記問題を解決可能である。
【００７８】
例えば、図１２に示すようにスリット１１ａは、底板部１１において一段低い位置に設けられていてもよい。即ち、底板部１１における縁部６５が、底板部１１の他の領域よりも一段低い位置に設けられてもよい。図１２において示される、摺動板２１の底面に当接する面が縁部６５である。
摺動板２１の底面と縁部６５の上面における凹凸面７０とが当接しているとともに、挟持部２３の上面と縁部６５との間は連結部２４のクリアランスの分だけ、離間している。
ただし、図示省略するが縁部６５の底面における凹凸面７０に設けられた凹凸の高さが、上記クリアランス以上である場合には、挟持部２３と縁部６５の底面における凹凸面７０とは当接する場合がある。
【００７９】
凹凸面７０は梨地面に限定されず、その他の種々の態様を含む。例えば、図１３Ａに示すように、凹凸面７０を構成する凸部を、縁部６５において規則的に配列した曲線または直線、またはこの組み合わせでなる突条部とすることができる。図１３Ａは、曲線の凸部として、リング状突条部７０１である凸部が規則的に設けられてなる凹凸面７０Ａの態様を示す。リング状突条部７０１の内部および外部が凹部となっており、縁部６５において幅方向および前後方向に小さな凹凸を規則的に繰り返すパターンとなっている。
【００８０】
また異なる凹凸面７０の例として、凹凸面７０を構成する凸部を、縁部６５において不規則的に形成された曲線または直線、またはこの組み合わせでなる突条部とすることができる。図１３Ｂは、斜線状突条部７０２である凸部が規則的に設けられてなる凹凸面７０Ｂの態様を示す。斜線状突条部７０２は、スリット１１ａを介して並列する２列の縁部６５において、互いが交差する方向に傾斜した直線状である。換言すると、並列する２列の縁部６５において、斜線状突条部７０２はハの字状に向かいあっている。
【００８１】
また異なる凹凸面７０の例として、凹凸面７０を構成する凸部が、縁部６５に植設された繊維体７０３であって、密集して凹凸面７０を構成してもよい。
縁部６５と摺動板２１または挟持部２３との間に繊維体７０３が密集することより、縁部６５と摺動板２１または挟持部２３とが対面するとき、両者の間に弾性が付与される。そのため、縁部６５と摺動板２１または挟持部２３とにおいて摩擦を高める集中的な接所を回避することができる。
【００８２】
ここで繊維体７０３は、縁部６５上において直立するもの、および任意の角度に傾斜し、あるいは撓むものを含む。
また繊維体７０３の密集とは、繊維体７０３と摺動板２１または挟持部２３とが接触したときに、繊維体７０３の束の厚みにより、摺動板２１または挟持部２３が縁部６５の基板となる面と接触しない程度の量をいう。
【００８３】
繊維体７０３は、縁部６５の下面と挟持部２３との距離よりも短い態様、上記距離と略同等の態様および上記距離よりも長い態様のいずれも含む。ここでいう距離とは、縁部６５が植設された面から挟持部２３の上面までの距離をいう。
【００８４】
図１４を用いて、マガジン３００が前後に移動する動作について説明する。例えば、マガジン３００は、凹凸面７０として繊維体７０３が密集して植設されてなる態様を例に説明する。
【００８５】
図１４Ａに示すように、繊維体７０３は、縁部６５と、縁部６５に対面する摺動板２１または挟持部２３と、の間の距離を上回る長さを有している。
縁部６５と摺動板２１との間、あるいは縁部６５と挟持部２３との間において、繊維体７０３が弾力のあるスペーサとなり、前方に移動する押板２０の安定感を良好にし得る。
押板２０が前進する際に、通過する凹凸面７０Ｃでは、摺動板２１および挟持部２３に接触する繊維体７０３が、前方へ深く傾斜してなぎ倒された状態となる。押板２０が通過した後は、繊維体７０３は自己の弾力で起立した状態が復元される。
ただし本実施形態は、なぎ倒された方向に癖付されて、植設当初の起立状態が維持されなくなった繊維体７０３を包含する。
【００８６】
本実施形態において押板２０がリール９０の付勢力により前進するとき、押板２０は実質的に前後に傾斜することなくフラットな状態で前進する。このとき、凹凸面７０を介して、摺動板２１および縁部６５、並びに挟持部２３および縁部６５は、いずれも局所的な摩擦を発生することなくスムーズに前進する。
【００８７】
次に図１４Ｂを用いて、マガジン３００が手動で後方に移動する動作について説明する。背板２２が指で保持されて手動で後方に押板２０が押し戻されるとき、図１４Ａとは逆方向に繊維体７０３がなぎ倒される。図示省略する連結部２４により設けられたクリアランスには、繊維体７０３は密集しているため、摺動板２１および挟持部２３の後方への傾斜は、生じ難くなっている。または摺動板２１および挟持部２３の後方への傾斜が生じた場合にも、傾斜角度が、繊維体７０３が植設される前よりも小さい。
【００８８】
凹凸面７０を備えるマガジン３００は、押板２０が前後方向に移動するとき、摺動板２１または挟持部２３の縁部６５に対する対向面における任意の箇所と、凹凸面７０における複数の凸部（例えば繊維体７０３）と、が、接触と非接触を繰り返す。
そのため、図１５を用いて説明した従来のマガジンにおいても問題となっていた、縁部６５および摺動板２１、縁部６５および挟持部２３とにおける局所的な摩擦の集中を回避することができる。
【００８９】
本実施形態において、押板２０が手動で後方に押し戻される際の、縁部６５と、摺動板２１または挟持部２３と、の局所的な摩擦の集中の回避は、繊維体７０３以外の凹凸面においても同様に生じる効果である。
【００９０】
本実施形態にかかるマガジン３００において、摺動板２１または挟持部２３と、上記凸部との多点接触に関し、好ましい態様の一つとしては、押板２０が前後方向に移動する際に、凸部との接触箇所が幅方向にずれていく態様を挙げることができる。
即ち、前後方向における任意の箇所において、摺動板２１または挟持部２３と、これに対面する上記凸部と、の接触箇所を第一接触箇所とする。そして、前後方向における上記任意の箇所とは異なる他の箇所において、摺動板２１または挟持部２３と、これに対面する上記凸部と、の接触箇所を第二接触箇所とする。このとき、上記第一接触箇所と上記第二接触箇所とは、幅方向において異なる位置にある。
例えば、図１３Ｂまたは図１３Ｃのごとく、押板２０が前後方向に移動するとき、摺動板２１または挟持部２３の縁部６５に対する対向面における任意の箇所と、凹凸面７０における複数の凸部と、の接触点が幅方向にずれていくことが好ましい。
かかる構成によれば、摺動板２１あるいは挟持部２３が縁部６５に集中的に当接しする箇所を有しないので、凸部との接触により摺動板２１あるいは挟持部２３が局所的に摩耗することを回避することができる。
【００９１】
以上に説明する縁部６５に設けられた凹凸面は、縁部６５を構成する部材の表面を加工形成することにより設けられてもよい。たとえば縁部６５が樹脂材料により構成される場合に当該樹脂材料によりなる縁部６５の表面に型押し加工するなどして凹凸形状を付与することができる。
あるいは基材の一方の面が、所望の凹凸面である貼り付け材料を用い、当該貼り付け材料の他方の面を縁部６５に貼りつけることにより、縁部６５に凹凸面を設けることもできる。例えば、貼り付け材料としては、一方の面に所望の凹凸面が形成されており、他方の面に粘着材料が付与されたテープあるいはシールなどであってよい。
【００９２】
上記実施形態は、以下の技術思想を包含するものである。
（１）複数の商品が前後方向に一列に搭載される搭載部と、前記搭載部に沿って前後移動するように設けられた押板と、を備えるマガジンであって、
前記搭載部は、搭載される前記商品の最前位置を規定するための商品停止部を有し、
前記商品停止部より前方に巻部材がうず巻状に巻かれてなる巻体が設けられており、
前記巻体から繰り出される前記巻部材の先端が前記押板に連結されていることによって、前記押板の前後移動に連動して前記巻体から繰り出される前記巻部材の繰り出し量が変化するとともに、前記巻部材が所定箇所において前記マガジンの外部から視認されることによって前記商品の残数を報知可能であることを特徴とするマガジン。
（２）前記巻体から繰り出される前記巻部材は、前記搭載部に搭載される前記商品の残数と対応して前記所定箇所から視認される際の視認態様が変化することによって、前記搭載部に搭載されている前記商品の残数が所定数Ｎ（Ｎは自然数）以下であることを表す残数情報を示す上記（１）に記載のマガジン。
（３）前記押板を前方に付勢する付勢部材を、前記巻体とは別体として有する上記（１）または（２）に記載のマガジン。
（４）前記搭載部は前記商品を載置するための底板部を有し、
前記巻部材は、前記底板部の下方を通って前記押板に連結されている上記（１）から（３）のいずれか一項に記載のマガジン。
（５）前記押板の底部は、前記底板部と平行に配置され前記底板部の上面に対して摺動する摺動板と、前記摺動板との協働で前記底板部を挟持する挟持部と、を有するとともに、
前記底板部は、前記搭載部の前後方向に延在するスリットを有するとともに前記スリットの幅方向に隣接する縁部を有しており、
前記摺動板と前記挟持部とにより前記縁部を挟み込むことによって前記押板が前後方向に移動可能に設けられており、
前記巻部材が、前記挟持部に連結している上記（４）に記載のマガジン。
（６）前記搭載部は、前記搭載部の前縁を仕切る前壁部を有し、
前記巻体は、前記前壁部より前方に設けられている上記（１）から（５）のいずれか一項に記載のマガジン。
（７）前記巻体を収容する枠体を有し、
前記枠体が前記搭載部に装着されている上記（１）から（６）のいずれか一項に記載のマガジン。
（８）前記枠体は、前記巻体の前方において起立する前面部を有し、
前記前面部には、表示窓が設けられており、
前記表示窓を介して、前記巻部材が前記マガジンの外部から視認可能である上記（７）に記載のマガジン。
（９）前記枠体は、前記マガジンの幅方向において前記巻体を外部と区画する側面部を有し、
前記巻部材の基端が接合する前記巻体の中心軸の端部が、前記側面部の内側面に留められている上記（７）または（８）に記載のマガジン。
（１０）前記枠体が、前記搭載部に着脱可能に係止されている上記（７）から（９）のいずれか一項に記載のマガジン。
（１１）前記搭載部は、前記搭載部の前縁を仕切る前壁部を有し、
前記商品停止部は、前記前壁部よりも後方側に位置し、
前記巻体は、前後方向において前記前壁部と前記商品停止部との間に設けられている、上記（１）から（５）のいずれか一項に記載のマガジン。
（１２）前記搭載部は前記商品を載置するための底板部を有し、
前記底板部は、前記搭載部の前後方向に延在するスリットを有するとともに前記スリットの幅方向に隣接する縁部を有するとともに、
前記押板の底部は、前記底板部に沿って配置され前記底板部の上面に対して摺動する摺動板と、前記摺動板との協働で前記縁部を挟持する挟持部と、を有しており、
前記縁部の上面または下面は凹凸面を有し、
下記（Ｉ）および／または（ＩＩ）である上記（１）から（１１）のいずれか一項に記載のマガジン、
（Ｉ）前記縁部の上面には、前記凹凸面における凸部が、前記摺動板の前後寸法内および幅寸法内の複数箇所において設けられ、前記凸部と前記摺動板とが複数箇所で接触可能である、
（ＩＩ）前記縁部の下面には、前記凹凸面における凸部が、前記挟持部の前後寸法内および幅寸法内の複数箇所において設けられ、前記凸部と前記挟持部とが複数箇所で接触可能である。
（１３）前記押板が前後方向に移動するとき、前記摺動板または前記挟持部の前記縁部に対する対向面における任意の箇所と、前記凹凸面における複数の凸部と、が、接触と非接触を繰り返す上記（１２）に記載のマガジン。
（１４）前記縁部における凹凸面が、前記押板の前後移動の領域に亘る上記（１２）または（１３）に記載のマガジン。
（１５）前後方向における任意の箇所において、前記摺動板または前記挟持部と、これに対面する前記凸部と、の接触箇所を第一接触箇所とし、
前後方向における前記任意の箇所とは異なる他の箇所において、前記摺動板または前記挟持部と、これに対面する前記凸部と、の接触箇所を第二接触箇所としたとき、
前記第一接触箇所と前記第二接触箇所とは、幅方向において異なる位置にある上記（１２）から（１４）のいずれか一項に記載のマガジン。
（１６）前記凹凸面が、梨地面である上記（１２）から（１５）のいずれか一項に記載のマガジン。
（１７）前記凸部が、前記縁部に植設された繊維体であって、密集して前記凹凸面を構成する上記（１２）から（１５）のいずれか一項に記載のマガジン。
（１８）前記繊維体は、前記縁部と、前記縁部に対面する前記摺動板または前記挟持部と、の間の距離を上回る長さを有する上記（１７）に記載のマガジン。
（１９）前記凸部が、前記縁部において規則的に配列した曲線または直線、またはこの組み合わせでなる突条部である上記（１２）から（１５）のいずれか一項に記載のマガジン。
（２０）前記凸部が、前記縁部において不規則的に形成された曲線または直線、またはこの組み合わせでなる突条部である上記（１２）から（１５）のいずれか一項に記載のマガジン。
（２１）複数の商品が前後方向に一列に搭載される搭載部と、前記搭載部に沿って前後移動するように設けられた押板と、を備えるマガジンに対し装着される残数表示ユニットであって、
巻部材がうず巻状に巻かれてなる巻体と、
前記巻体を収容する枠体と、を有し、
前記巻体から繰り出された巻部材は、繰り出された量によって視認態様が変化する領域を有することを特徴する残数表示ユニット。
（２２）前記搭載部の前面に装着するための係止部を備える上記（２１）に記載の残数表示ユニット。
（２３）前記巻部材は、先端領域を前記押板に対し着脱可能に連結するための連結部を有する上記（２１）または（２２）に記載の残数表示ユニット。
【００９３】
また上記第二実施形態は、以下の技術思想を包含するものである。
（付記１）複数の商品が前後方向に一列に搭載される搭載部と、前記搭載部に沿って前後移動するように設けられた押板と、を備えるマガジンであって、前記搭載部は前記商品を載置するための底板部を有し、
前記底板部は、前記搭載部の前後方向に延在するスリットを有するとともに前記スリットの幅方向に隣接する縁部を有するとともに、
前記押板の底部は、前記底板部に沿って配置され前記底板部の上面に対して摺動する摺動板と、前記摺動板との協働で前記縁部を挟持する挟持部と、を有しており、
前記縁部の上面または下面は凹凸面を有し、
下記（Ｉ）および／または（ＩＩ）であるマガジン、
（Ｉ）前記縁部の上面には、前記凹凸面における凸部が、前記摺動板の前後寸法内および幅寸法内の複数箇所において設けられ、前記凸部と前記摺動板とが複数箇所で接触可能である、
（ＩＩ）前記縁部の下面には、前記凹凸面における凸部が、前記挟持部の前後寸法内および幅寸法内の複数箇所において設けられ、前記凸部と前記挟持部とが複数箇所で接触可能である。
【符号の説明】
【００９４】
１０・・・搭載部、１１・・・底板部、１１ａ・・・スリット、１１ｂ・・・係止部、１２・・・側壁部、１３・・・前壁部、１３ａ・・・前板部、１３ｂ・・・後板部、１４・・・後壁部、１４ａ・・・前板部、１４ｂ・・・後板部、１６・・・突条部、１６ａ・・・傾斜部、１７・・・ラベルホルダ、１８・・・ラベルホルダ、１９・・・ブレード、２０・・・押板、２１・・・摺動板、２２・・・背板、２３・・・挟持部、２４・・・連結部、２５・・・リール保持部、３０・・・巻体、３１・・・巻部材、３１ａ・・・巻部材、３１ｂ・・・巻部材、３２・・・基端、３３・・・先端、４０・・・表示窓、５０・・・枠体、５１・・・前面部、５２・・・側面部、５３・・・中心軸、５４・・・端部、５５・・・フック、５５ａ・・・上底部、５５ｂ・・・下垂部、５６・・・背面部、５７・・・第一通路、５８・・・第二通路、５９・・・延伸部、６０・・・たばこ商品、６０ａ・・・たばこ商品、６０ｂ・・・たばこ商品、６５・・・縁部、７０・・・凹凸面、７０Ａ・・・凹凸面、７０Ｂ・・・凹凸面、７０Ｃ・・・凹凸面、９０・・・リール、９１・・・ケース、１００・・・マガジン、２００・・・表示ユニット、２０１・・・先端領域、３００・・・マガジン、５０１・・・リール紐、５２０・・・留め具、７０１・・・リング状突条部、７０２・・・斜線状突条部、７０３・・・繊維体、Ｓ・・・位置
【図１】
2015002854.tif 000003
【図２】
2015002854.tif 000004
【図３】
2015002854.tif 000005
【図４】
2015002854.tif 000006
【図５】
2015002854.tif 000007
【図６】
2015002854.tif 000008
【図７】
2015002854.tif 000009
【図８】
2015002854.tif 000010
【図９】
2015002854.tif 000011
【図１０】
2015002854.tif 000012
【図１１】
2015002854.tif 000013
【図１２】
2015002854.tif 000014
【図１３】
2015002854.tif 000015
【図１４】
2015002854.tif 000016
【図１５】
2015002854.tif 000017